(57)【要約】【課題】  浴槽洗い場の排水口構造において、排水性を損なわずに、表層材の開口周縁部の端末での浸水や汚れ付着を防止できるようにする。【解決手段】  浴槽洗い場１は、床基材１０と、この床基材１０の上に敷かれた表層材２０とを備えている。浴槽洗い場１の排水口構造は、排水口１ａを提供する内枠３０と、この内枠３０の内周に取り付けられる補助枠４０とを備えている。表層材２０の開口周縁部２５は内枠３０の内周に沿って垂下している。内枠３０の内周の中間高さには周方向に延びる段差３１が形成され、この段差３１には嵌合溝３５が形成されている。補助枠４０は、上側の押さえ部４１と下側の嵌合部４２を有している。嵌合部４２が内枠３０の嵌合溝３５に嵌り、押さえ部４１と内枠３０の内周面３２が協働して表層材２０の開口周縁部２５を挟持することにより、この開口周縁部２５の下端を覆っている。【選択図】図１
2018145675.tif 000002
【特許請求の範囲】
【請求項１】
床基材と、この床基材の上に敷かれた表層材とを備えた浴室洗い場の排水口構造において、
排水口を提供する内枠と、この内枠の内周に取り付けられる補助枠とを備え、
上記表層材の開口周縁部が上記内枠の内周に沿って垂下し、その下端が上記補助枠によって覆われていることを特徴とする浴室洗い場の排水口構造。
【請求項２】
上記内枠の内周の中間高さには周方向に延びる段差が形成され、この段差には、この段差に沿って延びる嵌合溝が形成されており、
上記補助枠は上側の押さえ部と下側の嵌合部を有し、この嵌合部が上記嵌合溝に嵌り、上記押さえ部と上記内枠の内周面が協働して、上記表層材の開口周縁部を挟持することを特徴とする請求項１に記載の浴室洗い場の排水口構造。
【請求項３】
上記押さえ部と上記内枠の内周面は、上記表層材の開口周縁部を圧縮状態で挟持することを特徴とする請求項２に記載の浴室洗い場の排水口構造。
【請求項４】
上記補助枠の押さえ部は上記嵌合部より内側に張り出しており、この押さえ部の内周面は、その下端が段差の内周縁と一致し、上方に向かって徐々に上記表層材の開口周縁部に近づくように傾斜していることを特徴とする請求項２または３に記載の浴室洗い場の排水口構造。
【発明の詳細な説明】
【技術分野】
【０００１】
本発明は、浴室洗い場の排水口構造に関し、特に洗い場の床基材に敷かれた表層材の開口周縁部の端末保護構造に関する。
【背景技術】
【０００２】
浴室の洗い場には、意匠性やクッション性を付加するために、床基材の上に表層材を敷くことがある。表層材は、洗い場の排水口に対応して開口を有している。
特許文献１、２および特許文献３の図１〜図１０に記載するように、一般的な排水口構造では、表層材の開口周縁部が、排水口を提供する内枠のフランジ上面に接着されている。そのため、表層材の開口周縁部の端末は露出している。
【０００３】
特許文献３の図１１に示す実施例では、内枠のフランジを表層材の開口周縁部の上に被せることにより、この開口周縁部の端末を隠している。内枠のフランジの代わりに、別途枠材を表層材の開口周縁部の上に被せてその端末を隠す場合もある。
【先行技術文献】
【特許文献】
【０００４】
【特許文献１】特開２０１３−２０４２５９号公報
【特許文献２】特開２０１３−７６２４４号公報
【特許文献３】特開２０１３−５３４５７号公報
【発明の概要】
【発明が解決しようとする課題】
【０００５】
先に述べた先行技術では、表層材の開口周縁部の端末が露出しており、内枠のフランジとの間から浸水したり汚れが付着する等の不都合が生じる可能性がある。表層材の開口周縁部の端末が内枠のフランジから剥がれると、浸水等の不都合がさらに顕在化する。
【０００６】
後に述べた先行技術では、表層材の開口周縁が隠されるため、先に述べた先行技術のような不都合を免れるが、内枠のフランジ（または枠材）と表層材の上面との間に段差が生じ、排水性が悪くなる。そのため、髪の毛や汚れが溜まったり、水溜まりに起因してカビが発生する等の不都合が生じる。また、排水口に蓋を設置した状態で、蓋の外にフランジ（または枠材）が露出するため外観も悪い。
【課題を解決するための手段】
【０００７】
前記課題を解決するため、本発明は、床基材と、この床基材の上に敷かれた表層材とを備えた浴室洗い場の排水口構造において、排水口を提供する内枠と、この内枠の内周に取り付けられる補助枠とを備え、上記表層材の開口周縁部が上記内枠の内周に沿って垂下し、その下端が上記補助枠によって覆われていることを特徴とする。
上記構成によれば、表層材の開口周縁部の端末が補助枠に覆われて露出しないので、この端末と内枠との間からの浸水や、端末の汚れ付着を防止できる。
また、補助枠は、表層材の垂下した開口周縁部を覆うので、表層材の上面に段差を形成せずに済む。そのため、排水性を悪化させず、排水性の悪化に伴う汚れの溜まりやカビの発生を抑制できる。
さらに、排水口に蓋を設置した状態で、枠材やフランジが露出しないので外観が良い。
【０００８】
好ましくは、上記内枠の内周の中間高さには周方向に延びる段差が形成され、この段差には、この段差に沿って延びる嵌合溝が形成されており、上記補助枠は上側の押さえ部と下側の嵌合部を有し、この嵌合部が上記嵌合溝に嵌り、上記押さえ部と上記内枠の内周面が協働して、上記表層材の開口周縁部を挟持する。
上記構成によれば、補助枠を上から嵌合溝に嵌め込むことにより、簡単な作業で表層材の開口周縁部を押さえることができる。
【０００９】
好ましくは、上記押さえ部と上記内枠の内周面は、上記表層材の開口周縁部を圧縮状態で挟持する。
上記構成によれば、表層材の開口周縁部を簡単に保持することができる。
【００１０】
好ましくは、上記補助枠の押さえ部は上記嵌合部より内側に張り出しており、この押さえ部の内周面は、その下端が段差の内周縁と一致し、上方に向かって徐々に上記表層材の開口周縁部に近づくように傾斜している。
上記構成によれば、排水口の内周でも段差を抑制することができ、汚れの付着を抑制できる。
【発明の効果】
【００１１】
本発明の浴槽洗い場の排水口構造によれば、排水性を損なわずに、表層材の開口周縁部の端末での浸水や汚れ付着を防止でき、外観も良好である。
【図面の簡単な説明】
【００１２】
【図１】本発明の一実施形態をなす浴室洗い場の排水口構造を示す断面図である。
【図２】同排水溝構造を分解して示す断面図である。
【発明を実施するための形態】
【００１３】
以下、本発明の実施形態を図１、図２を参照しながら説明する。浴室の洗い場１は、浴槽（図示しない）の近傍に形成された排水口１ａと、浴槽に沿って直線的に延びる隆起部１ｂとを有している。
洗い場１は、床基材１０と、この床基材１０の上に貼られた表層材２０とを備えている。
【００１４】
床基材１０は、金属製の浅い箱体１１に発泡スチロール等からなる発泡材１２を収容することにより、構成されている。この箱体１１は支柱により建物の床スラブから浮いた状態で支持されている。発泡材１２の上面は排水口１ａに向かって緩やかな勾配をなしている。上記隆起部１ｂには追加の発泡材１３が配置されている。
【００１５】
表層材２０は、クッション層２１とこのクッション層２１を覆う薄い表面シート２２とを積層することにより構成されている。表層材２０は発泡材１２の上面に対応して排水口１ａに向かう緩やかな勾配をなすように成形されている。表層材２０は上記隆起部１ｂにおいて床基材１０の発泡材１３の洗い場１側の面に沿って上方に延びており、さらに、表面シート２２が隆起部１ｂを回り込んでいる。
【００１６】
次に、洗い場１の排水口１ａ周りの構造（排水口構造）について詳述する。床基材１０の発泡材１２には、排水口１ａに対応する位置に平面形状が例えば四角形をなす開口１２ａが形成されている。この開口１２ａ内に、樹脂製の内枠３０が配置されている。この内枠３０は上記開口１２ａに対応して平面形状が四角形をなしている。この内枠３０に囲われた空間が上記排水口１ａとして提供される。
内枠３０の下端は床基材１０から下方に突出しており、ここに、継手部材５０が接続されている。継手部材５０には排水管（図示しない）が接続されるようになっている。
【００１７】
内枠３０の内周にはその中間高さにおいて、周方向に延びる環状の段差３１が形成されている。段差３１の上側の内周面３２の断面形状は、下側の内周面３３の断面形状より１回り大きな四角形をなしている。段差３１には、その全周にわたって嵌合溝３５が形成されている。
【００１８】
上記表層材２０は、上記排水口１ａに対応した位置に開口を有しており、その開口周縁部２５は、内枠３０の上面から上側内周面３２に合致した形状に予め成形されている。すなわち、開口周縁部２５は、内枠３０の上面に沿ってなだらかに傾斜し、上側内周面３２に沿って垂下している。したがって、開口周縁部２５は短い四角形の筒形状をなしている。表層材２０の開口周縁部２５は、内枠３０の上面から上側内周面３２にわたって貼り付けられている。
【００１９】
内枠２０の内周には補助枠４０が取り付けられている。補助枠４０は、上記嵌合溝３５に沿った四角形状を有し、上側の押さえ部４１と下側の嵌合部４２とを全周にわたって有している。
押さえ部４１の外周面と嵌合部４２の外周面は垂直をなし互いに面一をなしている。押さえ部４１は、嵌合部４２から内側に張り出しており、その内周面４１ａは上方に向かって外側に傾斜している。
【００２０】
上述したように表層材２０の開口周縁部２５が内枠３０の上面と上側内周面３２に貼り付けられた状態で、上記補助枠４０の嵌合部４２を内枠３０の嵌合溝３５に圧入することにより、表層材２０の垂下した開口周縁部２０ａの下部は、補助枠４０の押さえ部４１と内枠３０の上側内周面３２との間で圧縮状態で挟持される。その結果、表層材２０の開口周縁部２５の下端の端末は外部に露出されないので、開口周縁部２５の端末と内枠３０との間から浸水したり端末に汚れが付着することがない。
また、表層材２０の上面には枠材等による段差が形成されず、表層材２０の開口周縁部２５はなだらかに傾斜しかつ垂下するので、排水性能を悪化させることもない。
【００２１】
上記補助枠４０が内枠３０に装着された状態で、押さえ部４１の内周面４１ａの下端が内枠３０の段差３１の内周縁と一致し、内周面４１ａが上方に向かうにしたがって表層材２０に近づくように傾斜しているので、補助枠４０と内枠３０および表層材２０との間に大きな段差がなく、汚れが溜まりにくい。
【００２２】
本発明は、上記実施形態に限定されるものではなく、その趣旨を逸脱しない範囲において種々の改変をなすことができる。
上記実施形態では表層材をクッション層と表面シートにより構成したが、例えば、３〜５ｍｍ程度の単層の塩ビシートであってもよい。この場合、表面に滑り止めの凹凸を形成することができる。
排水口は平面形状が四角形に限らず円形でもよい。
【産業上の利用可能性】
【００２３】
本発明は、浴室洗い場の排水口構造に適用できる。
【符号の説明】
【００２４】
１  洗い場
１ａ  排水口
１０  床基材
２０  表層材
２５  開口周縁部
３０  内枠
３１  段差
３２  上側内周面
３５  嵌合溝
４０  補助枠
４１  押さえ部
４１ａ  内周面
４２  嵌合部
【図１】
2018145675.tif 000003
【図２】
2018145675.tif 000004